(57)【特許請求の範囲】
【請求項１】
開口部が前側に設けられた筐体と、当該筐体の当該開口部を閉鎖するフロントパネルとを有する現金取扱装置において、
前記筐体は、２枚の筐体側板が１枚の筐体天板の両横から下方向に延在して設けられることによって、前記開口部を形成しており、
前記フロントパネルは、その横幅が前記筐体の横幅よりも広く形成されているとともに、２枚のパネル側板が１枚のパネル前板の両横から奥行き方向に延在して設けられており、
２枚の前記パネル側板は、それぞれ、前記筐体側板の外側に回り込む構成となっており、
前記パネル前板は、その下端部が上下方向に回動するように、その上端部が蝶番によって前記筐体天板に回動自在に連結されている
ことを特徴とする現金取扱装置。
【請求項２】
請求項１に記載の現金取扱装置において、
さらに、前記フロントパネルの閉鎖時に生じる衝撃を吸収する緩衝部材を有しており、
前記緩衝部材は、前記パネル前板の内面にあり、
前記筐体側板と前記緩衝部材とが、前記フロントパネルの閉鎖時に当接する
ことを特徴とする現金取扱装置。
【請求項３】
請求項１に記載の現金取扱装置において、
さらに、前記フロントパネルの閉鎖時に生じる衝撃を吸収する緩衝部材を有しており、
前記緩衝部材は、前記筐体側板にあり、
前記パネル前板の内面と前記緩衝部材とが、前記フロントパネルの閉鎖時に当接する
ことを特徴とする現金取扱装置。
【請求項４】
請求項２又は請求項３に記載の現金取扱装置において、
２枚の前記筐体側板の先端部分は、それぞれ、前記筐体の内部側に折り曲げられることによって筐体屈曲部を形成しており、
２枚の前記筐体側板は、それぞれ、上側に開口するように傾斜して形成されており、かつ、前記フロントパネルの閉鎖時に、前記筐体屈曲部の上面が、前記緩衝部材を介して、前記パネル前板を下から支持する
ことを特徴とする現金取扱装置。
【請求項５】
請求項４に記載の現金取扱装置において、
前記パネル前板は、前記パネル側板との間で前記緩衝部材を挟み込むことによって前記緩衝部材を固定させる補強部材が、その内面に設けられている
ことを特徴とする現金取扱装置。
【請求項６】
請求項５に記載の現金取扱装置において、
前記補強部材は、前記パネル側板と平行な補強側板を備えており、当該補強側板と前記パネル側板との間で前記緩衝部材を挟み込む
ことを特徴とする現金取扱装置。
【請求項７】
請求項６に記載の現金取扱装置において、
前記補強側板は、前記パネル前板の内面側から前記筐体屈曲部の上面側に向けて延在して配置されており、かつ、延在方向の長さが前記パネル前板の内面と前記筐体屈曲部の上面との間の距離より短い
ことを特徴とする現金取扱装置。
【請求項８】
請求項６に記載の現金取扱装置において、
前記筐体屈曲部は、前記補強側板の外面と前記パネル側板の内面との間に挿入することができる長さに設定されており、
前記補強側板は、前記パネル前板の内面側から前記筐体屈曲部の上面側に向けて延在して配置されており、かつ、延在方向の長さが前記パネル前板の内面と前記筐体屈曲部の上面との間の距離より長い
ことを特徴とする現金取扱装置。
【請求項９】
請求項６に記載の現金取扱装置において、
前記補強側板の外面は、前記フロントパネルの閉鎖動作時に、前記筐体側板の前記筐体屈曲部の先端部に当接する
ことを特徴とする現金取扱装置。
【請求項１０】
請求項６に記載の現金取扱装置において、
前記補強側板の外面と前記筐体側板の前記筐体屈曲部の先端部との間は、前記フロントパネルの閉鎖時に、隙間を有する
ことを特徴とする現金取扱装置。
【請求項１１】
請求項６に記載の現金取扱装置において、
前記補強側板は、パネル側板から遠ざかる方向に傾斜している
ことを特徴とする現金取扱装置。
【請求項１２】
請求項６に記載の現金取扱装置において、
前記補強側板は、胴体部分と傾斜部分とを有し、
前記傾斜部分は、パネル側板から遠ざかる方向に傾斜している
ことを特徴とする現金取扱装置。
【請求項１３】
請求項１２に記載の現金取扱装置において、
前記補強側板の前記胴体部分は、前記傾斜部分の傾斜より少ない角度で傾斜している
ことを特徴とする現金取扱装置。
【発明の詳細な説明】
【技術分野】
【０００１】
本発明は、現金を取り扱う現金取扱装置に関し、特に、フロントパネルと筐体との間に横ズレが発生していても、その横ズレを許容することができる現金取扱装置に関する。
【背景技術】
【０００２】
金融機関や流通機関等では、例えば、自動取引装置（ＡＴＭ）やキャッシュディスペンサ等の、現金取扱装置が設置されている。現金取扱装置は、現金処理を実行するための様々なユニット群が筐体の内部に収納されている（例えば、特許文献１参照）。
【０００３】
現金取扱装置は、筐体の前側の上部部分に開口部が設けられており、フロントパネルによってその開口部を閉鎖している。フロントパネルには、顧客によって操作される顧客操作部が設けられている。そのため、フロントパネルは、顧客が操作し易いように、また、係員が持ち上げ易いように、斜めに傾斜した形状になっている。
【０００４】
フロントパネルは、その上端部が蝶番によって筐体の天板に回動自在に連結されている（取り付けられている）。フロントパネルは、その蝶番を中心にして、その下端部が上下方向に回動する構成になっている。
【０００５】
係員は、例えば、現金取扱装置のメンテナンスを行う場合に、フロントパネルの下端部を上に持ち上げて、フロントパネルを開放し、筐体の中から所望のユニットを引き出してメンテナンスする。
【０００６】
係員は、メンテナンスが終了すると、ユニットを筐体の中に収納して、フロントパネルの下端部を下に引き下げて、フロントパネルを閉鎖する。なお、筐体は、フロントパネルの閉鎖時に生じる衝撃を吸収する緩衝部材（例えば、ゴム）が、筐体の側板の、フロントパネルの側板との当接部分に設けられている。以下、筐体の側板を「筐体側板」と称し、また、フロントパネルの側板を「パネル側板」と称する。
【先行技術文献】
【特許文献】
【０００７】
【特許文献１】特開２００１−１５５２１５号公報
【発明の概要】
【発明が解決しようとする課題】
【０００８】
しかしながら、従来の現金取扱装置は、以下に説明するように、製造する際や保守時に、フロントパネルと筐体との間に横ズレが発生した場合に、製造作業者や保守員に負担を強いるとともに、パネル位置の調整作業に時間がかかり、製造時間が長期化する場合がある、という課題があった。
【０００９】
例えば、従来の現金取扱装置は、フロントパネルと筐体とが、同一の横幅で製造されている。したがって、従来の現金取扱装置は、パネル側板の外面と筐体側板の外面とが略同一面になるように構成されている。その従来の現金取扱装置は、製造する際に、フロントパネルと筐体との間に横ズレが発生した場合に、パネル側板の外面と筐体側板の外面との間に横方向の隙間が生じる。
【００１０】
その横方向の隙間は、意外と目立つため、違和感を顧客や係員に与える。例えば、横方向の隙間は、数ｍｍ（具体的には、２〜４ｍｍ）程度の横ズレが発生しただけで、違和感を顧客や係員に与える。そのため、従来の現金取扱装置は、横ズレが放置されると、装置に対する顧客や係員の信頼性が低下する可能性がある。
【００１１】
したがって、従来の現金取扱装置は、製造する際に、横ズレが発生した場合に、横ズレを解消する必要があった。横ズレの解消は、製造作業者が、蝶番の取り付け位置を調整して、手作業で強制的にフロントパネルを左右に微細に移動させることにより、行われる。以下、「フロントパネルを左右に微細に移動させる」作業を「パネル位置の調整作業」と称する。
【００１２】
しかしながら、フロントパネルは、比較的大きくかつ重たい部材であるため、左右に微細に移動させることが困難である。したがって、従来の現金取扱装置は、製造する際に、フロントパネルと筐体との間に横ズレが発生した場合に、このようなパネル位置の調整作業が必要になるため、製造作業者に負担を強いるとともに、パネル位置の調整作業に時間がかかり、製造時間が長期化する場合があった。
【００１３】
本発明は、前記した課題を解決するためになされたものであり、製造時の製造作業者の負担の軽減及び製造時間の短縮を実現する現金取扱装置を提供することを主な目的とする。
【課題を解決するための手段】
【００１４】
前記目的を達成するため、本発明は、開口部が前側に設けられた筐体と、当該筐体の当該開口部を閉鎖するフロントパネルとを有する現金取扱装置であって、前記筐体は、２枚の筐体側板が１枚の筐体天板の両横から下方向に延在して設けられることによって、前記開口部を形成しており、前記フロントパネルは、その横幅が前記筐体の横幅よりも広く形成されているとともに、２枚のパネル側板が１枚のパネル前板の両横から奥行き方向に延在して設けられており、２枚の前記パネル側板は、それぞれ、前記筐体側板の外側に回り込む構成となっており、前記パネル前板は、その下端部が上下方向に回動するように、その上端部が蝶番によって前記筐体天板に回動自在に連結されている構成とする。
【００１５】
この現金取扱装置は、フロントパネルの横幅が筐体の横幅よりも広く構成されている。そして、この現金取扱装置は、フロントパネルの筐体からはみ出す部分がフロントパネルと筐体との当接部分を遮蔽する。そのため、この現金取扱装置は、仮に、フロントパネルと筐体との間に横ズレが発生して、パネル側板の外面と筐体側板の外面との間に比較的大きな隙間が生じていても、その隙間を隠すことができる。
【００１６】
したがって、この現金取扱装置は、従来の現金取扱装置と異なり、仮に横ズレが発生していても、パネル位置の調整作業を行う必要がない。その結果、この現金取扱装置は、仮に横ズレが発生していても、製造作業者に負担を強いることがなく、また、従来の現金取扱装置よりも製造時間を短縮することができる。
【００１７】
なお、従来の現金取扱装置は、フロントパネルと筐体とが同一の横幅に構成されているため、パネル側板の外面と筐体側板の外面とが略同一面になる。その従来の現金取扱装置は、顧客が操作し易いように、また、係員がフロントパネルを持ち上げ易いように、フロントパネルを傾斜させた構造にする必要がある。そのため、従来の現金取扱装置は、パネル側板と筐体側板との当接部分を同一の傾斜角度に形成する必要がある。したがって、従来の現金取扱装置は、フロントパネル周りの設計の自由度が低い。
【００１８】
これに対して、この現金取扱装置は、フロントパネルの横幅が筐体の横幅よりも広く構成されている。そして、この現金取扱装置は、フロントパネルの筐体からはみ出す部分が、フロントパネルと筐体との当接部分を遮蔽する。そのため、この現金取扱装置は、フロントパネルと筐体との当接部分を同一の傾斜角度に形成する必要がない。したがって、この現金取扱装置は、従来の現金取扱装置よりもフロントパネル周りの設計の自由度を向上させることができる。
【発明の効果】
【００１９】
本発明によれば、製造時の製造作業者の負担の軽減及び製造時間の短縮を実現する現金取扱装置を提供することができる。
【図面の簡単な説明】
【００２０】
【図１】実施形態に係る現金取扱装置の全体の構成を示す図（１）である。
【図２】実施形態に係る現金取扱装置の全体の構成を示す図（２）である。
【図３】実施形態に係る現金取扱装置の細部の構成を示す図である。
【図４】実施形態で用いる現金取扱装置の変形例の構成を示す図である。
【図５】実施形態に係る現金取扱装置のフロントパネル周りの構成を示す図である。
【図６】比較例に係る現金取扱装置の全体の構成を示す図（１）である。
【図７】比較例に係る現金取扱装置の全体の構成を示す図（２）である。
【図８】比較例に係る現金取扱装置の細部の構成を示す図（１）である。
【図９】比較例に係る現金取扱装置の細部の構成を示す図（２）である。
【発明を実施するための形態】
【００２１】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２２】
［実施形態］
本実施形態に係る現金取扱装置１は、自動取引装置（ＡＴＭ）やキャッシュディスペンサ等の、現金を取り扱う装置であって、筐体の前面を覆うカバー部材（特に、いわゆる「フロントパネル」と称される、筐体の前面の上部部分を覆うカバー部材）の横幅が、筐体の横幅よりも広く構成されていることを特徴とする。ここでは、本実施形態に係る現金取扱装置１が自動取引装置（ＡＴＭ）として構成されている場合を想定して説明する。
【００２３】
＜比較例に係る現金取扱装置の構成＞
以下、本実施形態に係る現金取扱装置１の特徴を分かり易く説明するために、まず、比較例に係る現金取扱装置１０１の構成について説明し、次に、その比較例に係る現金取扱装置１０１の構成と対比させて、本実施形態に係る現金取扱装置１の構成を説明する。ここでは、比較例に係る現金取扱装置１０１が、本実施形態に係る現金取扱装置１と同様に、自動取引装置（ＡＴＭ）として構成されている場合を想定して説明する。
【００２４】
まず、図６〜図９を参照して、比較例に係る現金取扱装置１０１の構成につき説明する。図６及び図７は、それぞれ、比較例に係る現金取扱装置の全体の構成を示す図である。また、図８及び図９は、それぞれ、比較例に係る現金取扱装置の細部の構成を示す図である。
【００２５】
図６及び図７に示すように、比較例に係る現金取扱装置１０１は、ＡＴＭ扉４と、筐体１０２と、フロントパネル１０３とを有する構成になっている。
ＡＴＭ扉４は、筐体１０２の前面の下部部分を覆うカバー部材である。
筐体１０２は、現金処理を実行する上で必要な様々なユニット群を内部に収納する箱体である。
フロントパネル１０３は、筐体１０２の前面の上部部分を覆うカバー部材である。
【００２６】
筐体１０２は、２枚の側板（以下、「筐体側板１２１」と称する）が１枚の天板（以下、「筐体天板１２６」と称する）の両横から下方向に延在して設けられることによって、開口部（図示せず）を形成している。筐体１０２は、フロントパネル１０３及びＡＴＭ扉４によってこれらの開口部を閉鎖している。
ここでは、筐体１０２とフロントパネル１０３とが、同一の横幅で構成されている場合を想定して説明する。
【００２７】
ＡＴＭ扉４は、例えば、左右のいずれか一方（例えば、左側）の部分が、図示せぬ蝶番等の連結部材によって、筐体１０２に回動自在に取り付けられている。なお、ＡＴＭ扉４自体は、周知の構成要素であり、また、本発明との関連性が低いので、ここでは、詳細な説明を省略する。
【００２８】
ＡＴＭ扉４の内部には、固定機構６（図７参照）が設けられている。固定機構６は、フロントパネル１０３を筐体１０２に固定するための機構である。固定機構６は、例えば、ネジやロックレバー等によって構成されている。固定機構６自体は、周知の構成要素であり、また、本発明との関連性が低いので、ここでは、詳細な説明を省略する。
【００２９】
フロントパネル１０３には、顧客が操作する顧客操作部１ａが設けられている。その顧客操作部１ａは、紙幣が出し入れされる紙幣入出金部、硬貨が出し入れされる硬貨入出金部、通帳が出し入れされる通帳挿入排出口、カードが出し入れされるカード挿入排出口、入力部及び表示部を兼ねるタッチパネルＬＣＤ等が設けられている。なお、通帳挿入排出口の奥には、通帳に取引情報を記帳する通帳記帳部が設けられている。また、カード挿入排出口の奥には、カードから口座情報等を読み取るカードリーダや、取引情報等をレシートに印字するレシート印字部が設けられている。なお、カード挿入排出口は、レシートを排出するレシート排出口を兼ねている。これらの構成要素は、周知であり、また、本発明との関連性が低いので、ここでは、詳細な説明を省略する。
【００３０】
フロントパネル１０３は、２枚の側板（以下、「パネル側板１３１」と称する）が１枚の前板（以下、「パネル前板１３２」と称する）の両横から奥行き方向に延在して設けられた構成になっている。図７に示すように、フロントパネル１０３は、係員が回動させ易いように、パネル側板１３１の下端部１３１ｂが、傾斜された構成になっている。
【００３１】
パネル前板１３２は、その上端が、蝶番５によって、筐体天板１２６に回動自在に連結されている（取り付けられている）。そのため、図７に示すように、パネル前板１３２は、蝶番５を中心にして、その下端が上下方向に回動する。
【００３２】
比較例に係る現金取扱装置１０１は、前記した通り、筐体１０２とフロントパネル１０３とが、同一の横幅で構成されている。そのため、現金取扱装置１０１は、筐体１０２とフロントパネル１０３との間で横ズレが発生した場合に、横方向の隙間１０９が筐体側板１２１の外面とパネル側板１３１の外面との間に発生する。
【００３３】
ここで、図８及び図９を参照して、現金取扱装置１０１の筐体１０２とフロントパネル１０３との当接部分周りの構成について説明する。図８及び図９は、図６に示す線Ｂ−Ｂに沿って切断した構成を拡大して示している。なお、図８に示す例は、上下の関係で見た場合に、「上」と「下」とが逆になって示されている。
【００３４】
図７及び図８に示すように、現金取扱装置１０１は、側方から見た場合に、フロントパネル１０３が筐体１０２の上に載置された構成になっている。具体的には、現金取扱装置１０１は、筐体側板１２１が、上側に開口するように傾斜して形成されている。また、筐体側板１２１は、後記する筐体第１屈曲部１２２の上面１２２ａに緩衝部材１０８が貼付されており、フロントパネル１０３の閉鎖時に、その筐体第１屈曲部１２２が、緩衝部材１０８を介して、パネル側板１３１を下から支持する。
【００３５】
なお、比較例では、パネル側板１３１の下端部１３１ｂが、筐体側板１２１との当接部分となる。したがって、比較例では、パネル側板１３１が、筐体１０２によって支持される被支持部となる。
【００３６】
一方、図８に示すように、筐体側板１２１は、その上端部分が逆向きに略垂直に２回折り曲げられた構成（すなわち、Ｌ字状と逆Ｌ字状とに折り曲げられた構成）になっている。例えば、図８に示す例では、筐体側板１２１は、その上端部分の後側部分（以下、「筐体第１屈曲部１２２」と称する）が筐体１０２の内部方向に向けてＬ字状に折り曲げられ、その上端部分の前側部分（以下、「筐体第２屈曲部１２３」と称する）がフロントパネル１０３の方向に向けて逆Ｌ字状に折り曲げられた構成になっている。
【００３７】
なお、比較例では、筐体第１屈曲部１２２の上面１２２ａが、パネル側板１３１との当接部分となる。したがって、比較例では、筐体第１屈曲部１２２が、フロントパネル１０３を支持する支持部となる。
【００３８】
筐体側板１２１は、フロントパネル１０３を好適に支持するために、筐体第１屈曲部１２２が、パネル側板１３１の下端部１３１ｂの傾斜角度に合わせて、傾斜された構成になっている。
【００３９】
その筐体第１屈曲部１２２の上面１２２ａには、緩衝部材１０８が貼付されている。緩衝部材１０８は、その下面１０８ｂが筐体第１屈曲部１２２の上面１２２ａに貼付され、一方、その上面１０８ａがパネル側板１３１の下端部１３１ｂに当接する構成になっている。
【００４０】
緩衝部材１０８は、開けられていたフロントパネル１０３が閉められた場合（すなわち、上方向に持ち上げられていたフロントパネル１０３が下方向に引き下げられた場合）に、これによって生じる衝撃を吸収する部材である。また、緩衝部材１０８は、筐体側板１２１とパネル側板１３１との間を封止して、異物が筐体側板１２１とパネル側板１３１との間から筐体１０２の内部に侵入するのを防止する。緩衝部材１０８は、例えばゴム等の、衝撃を吸収し易い素材によって構成されている。
【００４１】
ただし、緩衝部材１０８は、緩衝部材１０８が歪んでいたり、筐体１０２とフロントパネル１０３との間で横ズレや縦ズレが発生したりした場合に、筐体側板１２１とパネル側板１３１との間の全域を完全に封止しきれないときがある。そのため、現金取扱装置１０１は、緩衝部材１０８だけでは、異物（特に、シート状の薄い異物）の筐体１０２の内部への侵入を完全に防止することができない。
【００４２】
そこで、現金取扱装置１０１は、筐体側板１２１の上端部分が逆向きに２回折り曲げられることによって、筐体第２屈曲部１２３（図８参照）が設けられている。筐体第２屈曲部１２３は、仮に、シート状の薄い異物が緩衝部材１０８とパネル側板１３１との間から筐体１０２の内部に侵入した場合に、その異物と当接して、それ以上の筐体１０２の内部への侵入を防止する。
【００４３】
係る構成において、比較例に係る現金取扱装置１０１は、フロントパネル１０３と筐体１０２とが、同一の横幅で製造されているため、パネル側板１３１の外面と筐体側板１２１の外面とが略同一面になる。その比較例に係る現金取扱装置１０１は、製造する際に、フロントパネル１０３と筐体１０２との間に横ズレが発生した場合に、パネル側板１３１の外面と筐体側板１２１の外面との間に横方向の隙間１０９（図９参照）が生じる。
【００４４】
その横方向の隙間１０９は、意外と目立つため、違和感を顧客や係員に与える。例えば、横方向の隙間は、数ｍｍ（具体的には、２〜４ｍｍ）程度の横ズレが発生しただけで、違和感を顧客や係員に与える。そのため、現金取扱装置１０１は、横ズレが放置されると、装置に対する顧客や係員の信頼性が低下する可能性がある。
【００４５】
したがって、比較例に係る現金取扱装置１０１は、製造する際に、横ズレが発生した場合に、横ズレを解消する必要がある。横ズレの解消は、製造作業者が、蝶番５の取り付け位置を調整して、手作業で強制的にフロントパネル１０３を左右に微細に移動させることにより、行われる。以下、「フロントパネル１０３を左右に微細に移動させる」作業を「パネル位置の調整作業」と称する。
【００４６】
しかしながら、フロントパネル１０３は、比較的大きくかつ重たい部材であるため、左右に微細に移動させることが困難である。したがって、現金取扱装置１０１は、製造する際に、フロントパネルと筐体との間に横ズレが発生した場合に、このようなパネル位置の調整作業が必要になるため、製造作業者に負担を強いるとともに、パネル位置の調整作業に時間がかかり、製造時間が長期化する可能性がある。
【００４７】
また、現金取扱装置１０１は、図９に示すように、厚さＴ１の緩衝部材１０８が、筐体側板１２１とパネル側板１３１との間に介在する構成になっている。そのため、緩衝部材１０８は、側面部分が厚さＴ１分だけ常に外部に露出する。
【００４８】
また、現金取扱装置１０１は、筐体１０２とフロントパネル１０３との間で横ズレが発生して、幅Ｗ１の横方向の隙間１０９が発生した場合に、緩衝部材１０８が、その横方向の隙間１０９を介して、外部に露出する。すなわち、この場合に、緩衝部材１０８は、正面部分が幅Ｗ１分だけ外部に露出する。
【００４９】
このような緩衝部材１０８の露出部分は、悪意のある人物によって、悪戯（例えば刃物で切られる等）がなされる可能性がある。比較例に係る現金取扱装置１０１は、このような悪戯を防止することができない。
【００５０】
＜実施形態に係る現金取扱装置の構成＞
以下、図１〜図３を参照して、本実施形態に係る現金取扱装置の構成につき説明する。図１及び図２は、それぞれ、実施形態に係る現金取扱装置の全体の構成を示す図である。また、図３は、実施形態に係る現金取扱装置の細部の構成を示す図である。
【００５１】
なお、各図において、比較例と同様の構成要素（図６〜図９参照）については、同一の符号を付し、それらの説明を省略する。また、以下、比較例の構成要素を本実施形態の構成要素に読み替えて説明する。
【００５２】
図１に示すように、本実施形態に係る現金取扱装置１は、筐体２と、フロントパネル３と、ＡＴＭ扉４とを有する構成になっている。
筐体２は、現金処理を実行する上で必要な様々なユニット群を内部に収納する箱体である。
フロントパネル３は、筐体２の前面の上部部分を覆うカバー部材である。
【００５３】
筐体２は、２枚の側板（以下、「筐体側板２１」と称する）が１枚の天板（以下、「筐体天板２６」と称する）の両横から下方向に延在して設けられることによって、開口部（図示せず）を形成している。筐体２は、フロントパネル３及びＡＴＭ扉４によってこれらの開口部を閉鎖している。
【００５４】
フロントパネル３は、２枚の側板（以下、「パネル側板３１」と称する）が１枚の前板（以下、「パネル前板３２」と称する）の両横から奥行き方向に延在して設けられた構成になっている。図３に示すように、フロントパネル３は、顧客操作部１ａの各ユニットを顧客が操作し易いように、パネル側板３１の下端部３１ｂが、傾斜された構成になっている。
【００５５】
パネル前板３２は、その上端が、蝶番５によって、筐体天板２６に回動自在に連結されている（取り付けられている）。そのため、図２に示すように、パネル前板３２は、蝶番５を中心にして、その下端が上下方向に回動する。
【００５６】
なお、比較例に係る現金取扱装置１０１は、筐体１０２とフロントパネル１０３とが、同一の横幅で構成されていた。これに対して、本実施形態に係る現金取扱装置１は、フロントパネル３の横幅が、筐体２の横幅よりも若干広く（長く）構成されている。そのため、現金取扱装置１は、フロントパネル３の筐体２からはみ出した部分が、筐体側板２１の外面とパネル側板３１の外面との間の横方向の隙間９（図３参照）を遮蔽する遮蔽機構１０として機能する。
【００５７】
ここで、図３を参照して、現金取扱装置１の筐体２とフロントパネル３との当接部分周りの構成について説明する。図３は、図１に示す線Ａ−Ａに沿って切断した構成を拡大して示している。なお、図３に示す例は、上下の関係で見た場合に、「上」と「下」とが逆になって示されている。
【００５８】
図２及び図３に示すように、現金取扱装置１は、側方から見た場合に、フロントパネル３が筐体２の上に載置された構成になっている。具体的には、現金取扱装置１は、筐体側板２１が、上側に開口するように傾斜して形成されている。また、筐体側板２１は、フロントパネル３の閉鎖時に、後記する筐体屈曲部２２（図３参照）の上面２２ａが後記する緩衝部材８の下面８ｂと当接することによって、緩衝部材８を介して、パネル前板３２を下から支持する。
【００５９】
なお、本実施形態では、パネル前板３２の内面３２ｂの外端部分が、筐体側板２１との当接部分となる。したがって、本実施形態では、パネル前板３２が、筐体２によって支持される被支持部となる。なお、内面３２ｂは、フロントパネル３が閉じられた状態では、下側に向いている。以下、内面３２ｂを「下面３２ｂ」と称する。
【００６０】
一方、図３に示すように、筐体側板２１は、その上端部分が逆向きに略垂直に１回折り曲げられた構成（すなわち、Ｌ字状に折り曲げられた構成）になっている。例えば、図３に示す例では、筐体側板２１は、その上端部分（以下、「筐体屈曲部２２」と称する）が筐体２の内部方向に向けてＬ字状に折り曲げられた構成になっている。
【００６１】
なお、本実施形態では、筐体屈曲部２２の上面２２ａが、パネル前板３２との当接部分となる。したがって、本実施形態では、筐体屈曲部２２が、フロントパネル３を支持する支持部となる。
【００６２】
筐体側板２１は、フロントパネル３を好適に支持するために、筐体屈曲部２２が、パネル前板３２の下面３２ｂの傾斜角度に合わせて、傾斜された構成になっている。
【００６３】
そのパネル前板３２の下面３２ｂの外端部分には、緩衝部材８が貼付されている。緩衝部材８は、その下面８ｂが筐体屈曲部２２の上面２２ａに当接し、一方、その上面８ａがパネル前板３２の下面３２ｂの外端部分に貼付された構成になっている。
【００６４】
緩衝部材８は、開けられていたフロントパネル３が閉められた場合（すなわち、上方向に持ち上げられていたフロントパネル３が下方向に引き下げられた場合）に、これによって生じる衝撃を吸収する部材である。また、緩衝部材８は、筐体側板２１とパネル前板３２との間を封止して、異物が筐体側板２１とパネル前板３２との間から筐体２の内部に侵入するのを防止する。緩衝部材８は、例えばゴム等の、衝撃を吸収し易い素材によって構成されている。
【００６５】
なお、本実施形態では、フロントパネル３は、パネル前板３２の下面３２ｂに補強部材４０が取り付けられている。補強部材４０は、パネル前板３２を補強するとともに、パネル側板３１との間で緩衝部材８を挟み込んで、緩衝部材８を固定する。補強部材４０は、その先端部分が筐体２の下部方向に向けて略垂直（Ｌ字状）に折り曲げられた形状になっており、その先端部分で緩衝部材８に当接する。以下、補強部材４０の先端部分を「補強側板４１」と称する。
【００６６】
補強側板４１の長さは、緩衝部材８の大きさに応じて設定可能であり、衝撃部材８を挟み込める程度の長さとする。なお、補強側板４１は、延在方向の長さをパネル前板３２の下面（内面）３２ｂと筐体屈曲部２２の上面２２ａとの間の距離より短くなるように設定し、補強側板４１と筐体屈曲部２２とが当接しない構成にしてもよい。また、補強側板４１は、筐体屈曲部２２の上面２２ａに達する長さであってもよい。
【００６７】
本実施形態では、緩衝部材８は、補強側板４１とパネル側板３１との間の空間に挿入されるようにして、パネル前板３２の下面３２ｂに取り付けられる。そのため、現金取扱装置１は、緩衝部材８を簡単に取り付けることができる。
【００６８】
また、本実施形態では、緩衝部材８の貼付位置は、パネル前板３２の下面３２ｂの外端部分となる（図３参照）。したがって、本実施形態では、緩衝部材８は、パネル前板３２の裏側に隠された構成になる。そのため、現金取扱装置１は、緩衝部材８を外部から隠すことができ、その結果、悪意のある人物からの緩衝部材８への悪戯を防止することができる。
【００６９】
係る構成において、現金取扱装置１は、前記した通り、フロントパネル３の横幅が、筐体２の横幅よりも若干広く（長く）構成されている。そのため、現金取扱装置１は、フロントパネル３の筐体２からはみ出した部分が、筐体側板２１の外面とパネル側板３１の外面との間の横方向の隙間９（図３参照）を遮蔽する遮蔽機構１０として機能する。したがって、現金取扱装置１は、横方向の隙間９が、外部から秘匿された状態になる。
【００７０】
このような現金取扱装置１は、製造時のフロントパネル３と筐体２との間の横ズレを許容することができ、横ズレを解消するためのパネル位置の調整作業を不要にすることができる。そのため、現金処理装置１は、製造時の製造作業者の負担を軽減することができるとともに、製造時間を短縮することができる。
【００７１】
また、現金取扱装置１は、前記した通り、緩衝部材８を外部から隠すことができ、その結果、悪意のある人物からの緩衝部材８への悪戯を防止することができる。
【００７２】
＜現金取扱装置の変形例の構成＞
以下、図４を参照して、本実施形態に係る現金取扱装置の変形例の構成につき説明する。図４は、実施形態に係る現金取扱装置の変形例の構成を示す図である。
【００７３】
図４に示すように、変形例に係る現金取扱装置１Ａは、遮蔽機構１０Ａ内部に配置された補強側板４１Ａの先端部分が、筐体側板２１から離間する方向に折り曲げられた構成となっている。
【００７４】
図４に示す例では、補強側板４１Ａは、微細な傾斜角度θ１が胴体部分に与えられており、また、その傾斜角度θ１よりも著しく大きな傾斜角度θ２が先端部分に与えられた構成になっている。以下、補強側板４１Ａの先端部分を「傾斜部４２」と称する。また、補強側板４１Ａの胴体部分を「胴体部４３」と称する。補強側板４１Ａ（胴体部４３と傾斜部４２）に与える傾斜は、筐体２の内部方向への傾斜であり、パネル側板３１から遠ざかる方向の傾斜である。
【００７５】
また、現金取扱装置１Ａは、筐体側板２１の筐体屈曲部２２の長さが、パネル側板３１の内面と補強側板４１Ａの外面との間の距離に応じて設定されている。例えば、筐体屈曲部２２の長さは、パネル側板３１の内面と補強側板４１Ａの外面との間の距離より数ミリ短く設定してもよいし、パネル側板３１の内面と補強側板４１Ａの外面とに当接する長さに設定してもよい。
【００７６】
現金取扱装置１Ａは、筐体屈曲部２２の長さの設定により、フロントパネル３の閉鎖時に、補強側板４１Ａと筐体屈曲部２２が当接した状態になるか、又は、適度な隙間が補強側板４１Ａと筐体屈曲部２２の間に生じた状態になるかが、決定される。
【００７７】
このような現金取扱装置１Ａは、フロントパネル３が係員によって閉じられる際に、補強側板４１Ａの外面が筐体側板２１の筐体屈曲部２２の先端部に当接しながら、その先端部が下方向に下ろされる。このとき、フロントパネル３は、補強側板４１Ａの外面が筐体側板２１の筐体屈曲部２２の先端部に当接するため、筐体側板２１の先端部によってガイドされて、横方向に位置決めされる。したがって、現金取扱装置１Ａは、フロントパネル３を好適な横方向の位置に位置決めすることができる。
【００７８】
また、現金取扱装置１Ａは、補強側板４１Ａの外面と筐体側板２１の筐体屈曲部２２の先端部との間の接触圧によって、フロントパネル３の閉じる速度を減速させることができるため、フロントパネル３の閉じる際の衝撃を減衰させることができる。さらに、現金取扱装置１Ａは、緩衝部材８の衝撃吸収力以外に、その接触圧によって、フロントパネル３の閉じる速度を減速させることができるため、緩衝部材８のサイズを小型化することができ、その結果、フロントパネル３の横幅を小さくすることができる。
【００７９】
なお、現金取扱装置１Ａは、好ましくは、あたかもハサミの刃先のような「反り」を、補強側板４１Ａの外面に与えるとよい。このような「反り」は、補強側板４１Ａの胴体部４３の傾斜角度θ１をフロントパネル３の上端部から下端部に向けて徐々に小さくなるように設定することにより、補強側板４１Ａの外面に与えることができる。
【００８０】
現金取扱装置１Ａは、このような「反り」が補強側板４１Ａの外面に与えられることにより、フロントパネル３が下方向に下ろされるにしたがって、補強側板４１Ａの外面と筐体側板２１の筐体屈曲部２２の先端部との間の、最大接触圧で当接する箇所を、フロントパネル３の上端部から下端部に向けて移動させることができる。
【００８１】
その結果、現金取扱装置１Ａは、フロントパネル３を閉じるにしたがって、あたかもハサミを閉じるかのように、フロントパネル３の下端部（自由端）のガタツキを減衰させることができる。
【００８２】
このような現金取扱装置１Ａは、現金取扱装置１と同様に、フロントパネル３の横幅をあまり大きくしないで、パネル側板３１で筐体側板２１を覆うことにより、パネル位置の調整作業を削減することができ、その結果、製造時間を短縮することができる。
【００８３】
さらに、現金取扱装置１Ａは、補強側板４１Ａの延在方向の長さをパネル前板３２の下面（内面）３２ｂと筐体屈曲部２２の上面２２ａとの間の距離より長くなるように設定して、筐体側板２１の筐体屈曲部２２を、パネル側板３１と補強側板４１Ａとの間に挿入することにより、フロントパネル３の左右の位置ズレを抑制することができる。
【００８４】
なお、現金取扱装置１Ａは、例えば図５に示す固定機構６や扉機構６０等を遮蔽機構１０Ａによって隠すことができるため、装置のセキュリティを向上させることができる。図５は、実施形態に係る現金取扱装置のフロントパネル周りの構成を示す図である。
【００８５】
図５（ａ）は、フロントパネル３を筐体２に固定する固定機構６の構成例を示している。図５（ａ）に示す例では、固定機構６は、第１ブラケット５１が筐体側板２１の内面に取り付けられ、また、第２ブラケット５２が筐体屈曲部２２の先端部との間で補強側板４１Ａを挟むように配置され、第１ブラケット５１と第２ブラケット５２とが連結部材５３で連結固定された構成になっている。
【００８６】
また、図５（ｂ）は、フロントパネル３をＡＴＭ扉４で固定する扉機構６０の構成例を示している。図５（ｂ）に示す例では、扉機構６０は、ブラケット７１をフロントパネル３に取り付け、緩衝部材６２を介してそのブラケット７１を筐体２に当接させるとともに、緩衝部材７２を介してＡＴＭ扉４をブラケット７１に当接させる構成になっている。この扉機構６０は、ＡＴＭ扉４が筐体２側に閉められることにより、ＡＴＭ扉４がブラケット７１を介してフロントパネル３を固定する構成になっている。
【００８７】
＜現金取扱装置の特徴＞
本実施形態に係る現金取扱装置１（変更例に係る現金処理装置１Ａを含む）は、比較例に係る現金取扱装置１０１と比較すると、以下のような特徴を有する。
【００８８】
（１）比較例に係る現金取扱装置１０１は、フロントパネル１０３と筐体１０２とが、同一の横幅で製造されているため、パネル側板１３１の外面と筐体側板１２１の外面とが略同一面になる。その比較例に係る現金取扱装置１０１は、製造する際に、フロントパネル１０３と筐体１０２との間に横ズレが発生した場合に、パネル側板１３１の外面と筐体側板１２１の外面との間に横方向の隙間１０９（図９参照）が生じる。
【００８９】
その横方向の隙間１０９は、意外と目立つため、違和感を顧客や係員に与える。そのため、製造作業者は、蝶番５の取り付け位置を調整して、手作業で強制的にフロントパネル１０３を左右に微細に移動させて、パネル位置の調整作業を行う必要がある。
【００９０】
しかしながら、フロントパネル１０３は、比較的大きくかつ重たい部材であるため、左右に微細に移動させることが困難である。したがって、比較例に係る現金取扱装置１０１は、製造する際に、横ズレが発生した場合に、このようなパネル位置の調整作業が必要になるため、製造作業者に負担を強いるとともに、パネル位置の調整作業に時間がかかり、製造時間が長期化する場合がある。
【００９１】
これに対して、本実施形態に係る現金取扱装置１は、フロントパネル３の横幅が筐体２の横幅よりも広く構成されている。そして、本実施形態に係る現金取扱装置１は、フロントパネル３の筐体２からはみ出す部分が、遮蔽機構１０として機能して、フロントパネル３と筐体２との当接部分を遮蔽する。そのため、本実施形態に係る現金取扱装置１は、仮に、フロントパネル３と筐体２との間に横ズレが発生して、パネル側板３１の外面と筐体側板２１の外面との間に比較的大きな隙間９が生じていても、その隙間９を隠すことができる。
【００９２】
したがって、本実施形態に係る現金取扱装置１は、比較例に係る現金取扱装置１０１と異なり、仮に横ズレが発生していても、パネル位置の調整作業を行う必要がない。その結果、本実施形態に係る現金取扱装置１は、仮に横ズレが発生していても、製造作業者に負担を強いることがなく、また、比較例に係る現金取扱装置１０１よりも製造時間を短縮することができる。
【００９３】
（２）比較例に係る現金取扱装置１０１は、フロントパネル１０３と筐体１０２とが同一の横幅に構成されているため、パネル側板１３１の外面と筐体側板１２１の外面とが略同一面になる。その比較例に係る現金取扱装置１０１は、顧客が操作し易いように、また、係員がフロントパネル１０３を持ち上げ易いように、フロントパネル１０３を傾斜させた構造にする必要がある。そのため、比較例に係る現金取扱装置１０１は、パネル側板１３１と筐体側板１２１との当接部分を同一の傾斜角度に形成する必要がある。したがって、比較例に係る現金取扱装置１０１は、フロントパネル１０３周りの設計の自由度が低い。
【００９４】
これに対して、本実施形態に係る現金取扱装置１は、フロントパネル３の横幅が筐体２の横幅よりも広く構成されている。そして、本実施形態に係る現金取扱装置１は、フロントパネル３の筐体２からはみ出す部分が、遮蔽機構１０として機能して、フロントパネル３と筐体２との当接部分を遮蔽する。そのため、本実施形態に係る現金取扱装置１は、フロントパネル３と筐体２との当接部分を同一の傾斜角度に形成する必要がない。したがって、本実施形態に係る現金取扱装置１は、比較例に係る現金取扱装置１０１よりもフロントパネル３周りの設計の自由度を向上させることができる。
【００９５】
（３）比較例に係る現金取扱装置１０１は、フロントパネル１０３と筐体１０２との間の緩衝部材１０８が外部に露出しているため、緩衝部材１０８が悪意のある人物によって悪戯される可能性がある。
【００９６】
これに対して、本実施形態に係る現金取扱装置１は、緩衝部材８が外部に露出していないため、比較例に係る現金取扱装置１０１と異なり、悪意のある人物による緩衝部材８への悪戯を防止することができる。
【００９７】
（４）比較例に係る現金取扱装置１０１は、異物（特に、シート状の薄い異物）が当接部分から侵入しないように、フロントパネル１０３と筐体１０２との当接部分を緩衝部材１０８で封止する必要がある。しかしながら、比較例に係る現金取扱装置１０１は、緩衝部材１０８が外部に露出しているため、シート状の薄い異物が緩衝部材１０８をすり抜け易い。したがって、比較例に係る現金取扱装置１０１は、緩衝部材１０８をすり抜けた異物の筐体１０２の内部への侵入を防止するために、筐体側板１２１を２回折り曲げる構成にする必要がある。その筐体１０２は、比較的大きな部材であり、筐体側板１２１を加工し難い。そのため、比較例に係る現金取扱装置１０１は、製造時間及び製造費用がかかる。
【００９８】
これに対して、本実施形態に係る現金取扱装置１は、緩衝部材８が外部に露出していないため、シート状の薄い異物が緩衝部材８をすり抜け難い。したがって、本実施形態に係る現金取扱装置１は、比較例に係る現金取扱装置１０１と異なり、異物の侵入を防止するために、筐体側板２１を２回折り曲げる構成にする必要がなく、筐体側板２１を１回折り曲げるだけでよい。その結果、本実施形態に係る現金取扱装置１は、比較例に係る現金取扱装置１０１よりも製造時間を短縮することができ、かつ、製造費用を低減することができる。
【００９９】
以上の通り、本実施形態に係る現金取扱装置１によれば、製造時や保守時の製造作業者や保守員の負担軽減及び製造や保守時間の短縮を実現することができる。
【０１００】
本発明は、前記した実施形態に限定されることなく、本発明の要旨を逸脱しない範囲で種々の変更や変形を行うことができる。
例えば、実施形態では、緩衝部材８は、パネル前板３２の下面３２ｂの外端部分に貼付されている。しかしながら、緩衝部材８は、筐体側板２１の、パネル前板３２の下面３２ｂとの当接部分（すなわち、筐体屈曲部２２の上面２２ａ）に貼付することができる。この場合に、緩衝部材８は、その下面８ｂが筐体屈曲部２２の上面２２ａに貼付され、一方、その上面８ａがパネル前板３２の下面３２ｂの外端部分に当接する構成になる。
【符号の説明】
【０１０１】
１    現金取扱装置（ＡＴＭ）
２    筐体
３    フロントパネル
４    ＡＴＭ扉
５    蝶番
６    固定機構（ネジ、ロックレバー等）
８，６２，７２    緩衝部材
８ａ，２２ａ    上面
８ｂ，３１ｂ，３２ｂ    下面
９    （横方向の）隙間
１０    遮蔽機構
２１    筐体側板
２２    筐体屈曲部（支持部）
３１    パネル側板
３２    パネル前板（被支持部）
４０    補強部材
４１，４１Ａ    補強側板
４２    傾斜部
４３    胴体部
５１    第１ブラケット
５２    第２ブラケット
５３    連結部材
６０    扉機構
７１    ブラケット
【図１】
0005561309.tif 000002
【図２】
0005561309.tif 000003
【図３】
0005561309.tif 000004
【図４】
0005561309.tif 000005
【図５】
0005561309.tif 000006
【図６】
0005561309.tif 000007
【図７】
0005561309.tif 000008
【図８】
0005561309.tif 000009
【図９】
0005561309.tif 000010